(57)【要約】【課題】建物の工場生産化率を高めながら、大開口を容易に形成すること。【解決手段】工場生産された複数の木質系建物ユニット１０Ａ〜１０Ｄを隣接設置してなるユニット建物１Ａにおいて、建物ユニット１０Ａ、１０Ｃに門型の木質ラーメンフレーム２１、３１を組込み、木質ラーメンフレーム２１、３１が木質系の縦材１０１及び１０２と接合金物１０３とからなるもの。【選択図】　図２
2004143779.tif 000002
【特許請求の範囲】
【請求項１】
工場生産された複数の木質系建物ユニットを隣接設置してなるユニット建物において、
少なくとも一部の建物ユニットに門型の木質ラーメンフレームを組込み、
木質ラーメンフレームが、木質系の縦材及び横材と接合金物とからなり、縦材と横材のそれぞれに埋込ボルトを螺入して埋込むとともに、縦材と横材の接合部でそれらの縦材と横材の少なくとも一方に接合金物を埋込み、該接合金物を縦材に埋込んだ埋込ボルトのめねじ部にボルト結合するとともに、該接合金物を横材に埋込んだ埋込ボルトのめねじ部にボルト結合して構成されることを特徴とするユニット建物。
【請求項２】
前記建物ユニットの相交差する２つの面のそれぞれに木質ラーメンフレームを組込んだ請求項１に記載のユニット建物。
【請求項３】
工場生産された複数の木質系建物ユニットと、建築現場で組立てた建物構造体とを隣接設置してなるユニット建物において、
少なくとも一部の建物ユニット又は建物構造体に門型の木質ラーメンフレームを組込み、
木質ラーメンフレームが、木質系の縦材及び横材と接合金物とからなり、縦材と横材のそれぞれに埋込ボルトを螺入して埋込むとともに、縦材と横材の接合部でそれらの縦材と横材の少なくとも一方に接合金物を埋込み、該接合金物を縦材に埋込んだ埋込ボルトのめねじ部にボルト結合するとともに、該接合金物を横材に埋込んだ埋込ボルトのめねじ部にボルト結合して構成されることを特徴とするユニット建物。
【請求項４】
前記建物ユニット又は建物構造体の相交差する２つの面のそれぞれに木質ラーメンフレームを組込んだ請求項３に記載のユニット建物。
【発明の詳細な説明】
【０００１】
【発明の属する技術分野】
本発明はユニット建物に関する。
【０００２】
【従来の技術】
従来の木質系ユニット建物では、工場生産された複数の建物ユニットを隣接設置し、各建物ユニットを構成する壁パネルを耐力壁とし、上階荷重を支持し、かつ地震力や風圧力に抵抗し得る耐力を確保している（特許文献１）。
【０００３】
しかしながら、特許文献１では、建物ユニットの耐力を壁によって確保するものであり、建物ユニットの１つの側面に壁の全くない大開口を形成することができない。
【０００４】
尚、従来の木質系建物において、耐力壁に代わる耐力を有する木質ラーメンフレームを、建物の壁枠組や床組に接合して一体に組込んだものがある（特許文献２）。
【０００５】
しかしながら、特許文献２では、工場生産された建物ユニットを用いるところがないから、建物の工場生産化率が低い。
【０００６】
【特許文献１】
特開平８−１５８４６８号公報（図２）
【０００７】
【特許文献２】
特開平９−６０１０７号公報（図１、１頁）
【０００８】
【発明が解決しようとする課題】
本発明の課題は、建物の工場生産化率を高めながら、大開口を容易に形成することにある。
【０００９】
【課題を解決するための手段】
請求項１の発明は、工場生産された複数の木質系建物ユニットを隣接設置してなるユニット建物において、少なくとも一部の建物ユニットに門型の木質ラーメンフレームを組込み、木質ラーメンフレームが、木質系の縦材及び横材と接合金物とからなり、縦材と横材のそれぞれに埋込ボルトを螺入して埋込むとともに、縦材と横材の接合部でそれらの縦材と横材の少なくとも一方に接合金物を埋込み、該接合金物を縦材に埋込んだ埋込ボルトのめねじ部にボルト結合するとともに、該接合金物を横材に埋込んだ埋込ボルトのめねじ部にボルト結合して構成されるようにしたものである。
【００１０】
請求項２の発明は、請求項１の発明において更に、前記建物ユニットの相交差する２つの面のそれぞれに木質ラーメンフレームを組込んだものである。
【００１１】
請求項３の発明は、工場生産された複数の木質系建物ユニットと、建築現場で組立てた建物構造体とを隣接設置してなるユニット建物において、少なくとも一部の建物ユニット又は建物構造体に門型の木質ラーメンフレームを組込み、木質ラーメンフレームが、木質系の縦材及び横材と接合金物とからなり、縦材と横材のそれぞれに埋込ボルトを螺入して埋込むとともに、縦材と横材の接合部でそれらの縦材と横材の少なくとも一方に接合金物を埋込み、該接合金物を縦材に埋込んだ埋込ボルトのめねじ部にボルト結合するとともに、該接合金物を横材に埋込んだ埋込ボルトのめねじ部にボルト結合して構成されるようにしたものである。
【００１２】
請求項４の発明は、請求項３の発明において更に、前記建物ユニット又は建物構造体の相交差する２つの面のそれぞれに木質ラーメンフレームを組込んだものである。
【００１３】
【作用】
請求項１の発明によれば下記▲１▼の作用がある。
▲１▼工場生産された複数の木質系建物ユニットによってユニット建物を構成するに際し、少なくとも一部の建物ユニットに門型の木質ラーメンフレームを組込んだ。建物ユニットの採用により建物の工場生産化率を高めながら、木質ラーメンフレームにより耐力壁に代わる耐力を確保し、該ラーメンフレーム内に壁のない大開口を容易に形成できる。
【００１４】
請求項２の発明によれば下記▲２▼の作用がある。
▲２▼建物ユニットの相交差する２つの面のそれぞれに木質ラーメンフレームを組込むことにより、相交差する２つの面に大開口を形成できる。
【００１５】
請求項３の発明によれば下記▲３▼の作用がある。
▲３▼工場生産された複数の木質系建物ユニットと、建築現場で組立てた建物構造体によってユニット建物を構成するに際し、少なくとも一部の建物ユニット又は建物構造体に門型の木質ラーメンフレームを組込んだ。建物ユニットの採用により建物の工場生産化率を高めながら、木質ラーメンフレームにより耐力壁に代わる耐力を確保し、該ラーメンフレーム内に壁のない大開口を容易に形成できる。
【００１６】
請求項４の発明によれば下記▲４▼の作用がある。
▲４▼建物ユニット又は建物構造体の相交差する２つの面のそれぞれに木質ラーメンフレームを組込むことにより、相交差する２つの面に大開口を形成できる。
【００１７】
【発明の実施の形態】
図１は第１実施形態のユニット建物を示す斜視図、図２は第１実施形態のユニット建物を詳細に示す斜視図、図３は木質ラーメンフレームの接合構造を示す分解斜視図、図４は木質ラーメンフレームと基礎の接合構造を示す分解斜視図、図５は第２実施形態のユニット建物を示す斜視図、図６は第３実施形態のユニット建物を示す斜視図、図７は第４実施形態のユニット建物を示す斜視図、図８は第５実施形態のユニット建物を示す斜視図、図９は第６実施形態のユニット建物を示す斜視図、図１０は第７実施形態のユニット建物を示す斜視図、図１１は第８実施形態のユニット建物を示す斜視図、図１２は第９実施形態のユニット建物を示す斜視図、図１３は第１０実施形態のユニット建物を示す斜視図、図１４は第１１実施形態のユニット建物を示す斜視図、図１５は第１２実施形態のユニット建物を示す斜視図、図１６は第１３実施形態のユニット建物を示す斜視図である。
【００１８】
（第１実施形態）（図１〜図４）
ユニット建物１Ａは、図１、図２に示す如く、基礎２の上に、工場生産された４個の木質系建物ユニット１０Ａ〜１０Ｄを隣接設置したものである。
【００１９】
建物ユニット１０Ａは、基礎２の上に搭載され、１階車庫部分を構成し、桁側正面の一面に門型の木質ラーメンフレーム２１を組込み、木質ラーメンフレーム２１の左右の両側に立設される木質壁パネル２２を有して構成される。木質ラーメンフレーム２１と壁パネル２２は互いに接合されて一体化され、基礎２に固定される。木質ラーメンフレーム２１は耐力壁に代わる耐力を確保し得るように構成され、壁パネル２２は耐力壁を構成する。
【００２０】
建物ユニット１０Ｃは、建物ユニット１０Ａの上に搭載され、２階居室部分を構成し、桁側正面の一面に門型の木質ラーメンフレーム３１を組込み、木質ラーメンフレーム３１の左右の両側に立設される木質壁パネル３２と、左右の壁パネル３２の下端部の間に配置される木質床パネル３３を有して構成される。木質ラーメンフレーム３１と壁パネル３２と床パネル３３は互いに接合されて一体化される。木質ラーメンフレーム３１と壁パネル３２は１階の建物ユニット１０Ａの木質ラーメンフレーム２１と壁パネル２２に接続される。
【００２１】
建物ユニット１０Ｂは、基礎２の上に搭載され、建物ユニット１０Ａとともに１階車庫部分を構成する。建物ユニット１０Ｄは、建物ユニット１０Ｂの上に搭載され、建物ユニット１０Ｃとともに２階居室部分を構成する。建物ユニット１０Ｂ、１０Ｄは、標準ユニットであり、木質床パネル１１の外縁部に木質壁パネル１２を立設して構成される。但し、１階車庫部分を構成する建物ユニット１０Ｂは床パネル１１を有さず、壁パネル１２を基礎２に固定される。壁パネル１２は耐力壁を構成する。
【００２２】
木質ラーメンフレーム２１（木質ラーメンフレーム３１も同じ）は以下の如く構成される（図３）。木質ラーメンフレーム２１は、左右の木質系縦材１０１、木質系横材１０２及び左右の接合金物１０３とからなり、各縦材１０１の上端部の２ヵ所と、横材１０２の両端部の２ヵ所のそれぞれに中空状の埋込ボルト１０４を螺入して埋込むとともに、各縦材１０１と横材１０２の接合部でそれらの縦材１０１の上端部に接合金物１０３を埋込む。接合金物１０３は横向き開口部をもつ四角箱１０３Ａ、１０３Ｂを継ぎ平板１０３Ｃの両端部に溶接してあり、縦材１０１の上端部に設けられた接合金物１０３と同一形状の切欠凹部１０１Ａに埋設される。接合金物１０３の四角箱１０３Ａ、１０３Ｂの下辺に挿通した下向きボルト１０５を、縦材１０１に埋込んだ埋込ボルト１０４のめねじ部にボルト結合するとともに、接合金物１０３の四角箱１０３Ａ、１０３Ｂの上辺に挿通した上向きボルト１０６を、横材１０２に埋込んだ埋込ボルト１０４のめねじ部にボルト結合する。これにより、左右の縦材１０１と横材１０２は、接合金物１０３を介して剛接合され、木質ラーメンフレーム２１を構成する。縦材１０１、横材１０２は、集成材により構成できる。
【００２３】
木質ラーメンフレーム２１は基礎２に以下の如くに固定される（図４）。木質ラーメンフレーム２１の左右の縦材１０１の下端部の２ヵ所に埋込ボルト１０４を螺入して埋込むとともに、該縦材１０１の下端部に接合金物１０３を埋込む。接合金物１０３の四角箱１０３Ａ、１０３Ｂの上辺に挿通した上向きボルト１０７を、縦材１０１に埋め込んだ埋込ボルト１０４のめねじ部にボルト結合するとともに、接合金物１０３の四角箱１０３Ａ、１０３Ｂの下辺に挿通した基礎２のアンカーボルト１０３にナット１０８を螺合する。これにより、木質ラーメンフレーム２１の左右の縦材１０１を基礎２に剛接合する。
【００２４】
木質ラーメンフレーム２１と木質ラーメンフレーム３１は以下の如くに固定される（図３）。木質ラーメンフレーム３１の左右の縦材１０１の下端部の２ヵ所と、木質ラーメンフレーム２１の横材１０２の両端部の２ヵ所のそれぞれに埋込ボルト１０４を螺入して埋込むとともに、各縦材１０１の下端部に接合金物１０３を埋込む。接合金物１０３の四角箱１０３Ａ、１０３Ｂの上辺に挿通した上向きボルト１１１を、縦材１０１に埋込んだ埋込ボルト１０４のめねじ部にボルト結合するとともに、接合金物１０３の四角箱１０３Ａ、１０３Ｂの下辺に挿通した下向きボルト１１２を、横材１０２に埋込んだ埋込ボルト１０４のめねじ部にボルト結合する。これにより、木質系ラーメンフレーム２１の横材１０２に、木質系ラーメンフレーム３１の左右の縦材１０１を剛接合する。
【００２５】
本実施形態によれば以下の作用がある。
工場生産された複数の木質系建物ユニット１０Ａ〜１０Ｄによってユニット建物１Ａを構成するに際し、一部の建物ユニット１０Ａ、１０Ｃに門型の木質ラーメンフレーム２１、３１を組込んだ。建物ユニット１０Ａ〜１０Ｄの採用により建物の工場生産化率を高めながら、木質ラーメンフレーム２１、３１により耐力壁に代わる耐力を確保し、該ラーメンフレーム２１、３１内に壁のない大開口２１Ａ、３１Ａを容易に形成できる。
【００２６】
（第２実施形態）（図５）
ユニット建物１Ｂは、１階車庫部分の建物ユニット１０Ａとして、桁側正面の一面に門型の木質ラーメンフレーム２１を組込み、木質ラーメンフレーム２１の左右の両側に壁パネル２２を有するものを用い、他の建物ユニット１０Ｂ〜１０Ｄとして標準ユニット（床パネル１１、壁パネル１２を有する建物ユニット）を用いたものである。
【００２７】
（第３実施形態）（図６）
ユニット建物１Ｃは、１階車庫部分の建物ユニット１０Ａとして、桁側正面と桁側背面の互いに相対する２面に門型の木質ラーメンフレーム２１、２１を組込み、それら木質ラーメンフレーム２１の左右の両側に壁パネル２２を有するものを用い、他の建物ユニット１０Ｂ〜１０Ｄとして標準ユニット（床パネル１１、壁パネル１２を有する建物ユニット）を用いたものである。
【００２８】
（第４実施形態）（図７）
ユニット建物１Ｄは、１階車庫部分の建物ユニット１０Ａとして、図６の建物ユニット１０Ａと同様のものを用い、更に、２階居室部分の建物ユニット１０Ｃとして、桁背面の一面に門型の木質ラーメンフレーム３１を組込み、木質ラーメンフレーム３１の左右の両側に壁パネル３２を有し、左右の壁パネル３２の下端部の間に配置される床パネル３３を有するものを用い、他の建物ユニット１０Ｂ、１０Ｄとして標準ユニット（床パネル１１、壁パネル１２を有する建物ユニット）を用いたものである。
【００２９】
（第５実施形態）（図８）
ユニット建物１Ｅは、図６のユニット建物１Ｃにおける建物ユニット１０Ａ、１０Ｃの前面に、標準ユニット（床パネル１１、壁パネル１２を有する建物ユニット）からなる建物ユニット１０Ｅ、１０Ｆを設置したものである。
【００３０】
（第６実施形態）（図９）
ユニット建物１Ｆは、１階部分の建物ユニット１０Ａとして、妻側正面の一面に門型の木質ラーメンフレーム４１（木質ラーメンフレーム２１と同様に、左右の縦材２０１、横材２０２、左右の接合金物２０３（不図示）からなる）を組込み、妻側背面と木質ラーメンフレーム４１の左右の両側に壁パネル４２を有するものを用い、他の建物ユニット１０Ｂ〜１０Ｄとして標準ユニット（床パネル１１、壁パネル１２を有する建物ユニット）を用いたものである。
【００３１】
（第７実施形態）（図１０）
ユニット建物１Ｇは、１階部分の建物ユニット１０Ａとして、図９の建物ユニット１０Ａと同様のものを用い、更に２階部分の建物ユニット１０Ｃとして、妻側正面の一面に門型の木質ラーメンフレーム５１（木質ラーメンフレーム３１と同様に、左右の縦材２０１、横材２０２、左右の接合金物２０３（不図示）からなる）を組込み、木質ラーメンフレーム５１の左右の両側に壁パネル５２を有し、左右の壁パネル５２の下端部の間に配置される床パネル５３を有するものを用い、他の建物ユニット１０Ｂ、１０Ｄとして標準ユニット（床パネル１１、壁パネル１２を有する建物ユニット）を用いたものである。
【００３２】
（第８実施形態）（図１１）
ユニット建物１Ｈは、１階部分の建物ユニット１０Ａとして、妻側正面と妻側背面の互いに相対する２面に門型の木質ラーメンフレーム４１、４１を組込み、それら木質ラーメンフレーム４１の左右の両側に壁パネル４２を有するものを用い、他の建物ユニット１０Ｂ〜１０Ｄとして標準ユニット（床パネル１１、壁パネル１２を有する建物ユニット）を用いるとともに、建物ユニット１０Ａ〜１０Ｄの妻側背面に他の標準建物ユニット１０Ｅ〜１０Ｈを設置したものである。
【００３３】
（第９実施形態）（図１２）
ユニット建物１Ｉは、図１１のユニット建物１Ｈにおける建物ユニット１０Ａ〜１０Ｄの妻側正面に他の建物ユニット１０Ｉ〜１０Ｌを設置し、建物ユニット１０Ａに隣接する建物ユニット１０Ｉとして図９の建物ユニット１０Ａと同様のものを用い、建物ユニット１０Ｊ〜１０Ｌとして標準ユニット（床パネル１１、壁パネル１２を有する建物ユニット）を用いたものである。
【００３４】
（第１０実施形態）（図１３）
ユニット建物１Ｊは、１階部分の建物ユニット１０Ａとして、相交差する桁側正面と妻側正面のそれぞれに、門型の木質ラーメンフレーム２１と木質ラーメンフレーム４１を組込み、それら木質ラーメンフレーム２１、４１の側傍に壁パネル２２を有するものを用い、他の建物ユニット１０Ｂ〜１０Ｄとして標準ユニット（床パネル１１、壁パネル１２を有する建物ユニット）を用いたものである。
【００３５】
尚、木質ラーメンフレーム２１と木質ラーメンフレーム４１の相交差する縦材１０１と縦材２０１、横材１０２と横材２０２は接合金物を介して互いに剛接合することができる。
【００３６】
ユニット建物１Ｊによれば、相交差する２つの木質ラーメンフレーム２１、４１内のそれぞれに大開口２１Ａ、４１Ａを形成できる。
【００３７】
（第１１実施形態）（図１４）
ユニット建物１Ｋは、１階部分の建物ユニット１０Ａとして図１３の建物ユニット１０Ａと同様のものを用い、２階部分の建物ユニット１０Ｃとして図１の建物ユニット１０Ｃと同様のものを用い、他の建物ユニット１０Ｂ、１０Ｄとして標準ユニット（床パネル１１、壁パネル１２を有する建物ユニット）を用いたものである。
【００３８】
（第１２実施形態）（図１５）
ユニット建物１Ｌは、１階部分を建築現場で組立てた木質系建物構造体６０によって構成し、建物構造体６０の上に２階部分を構成する２個の木質系建物ユニット１０、１０を搭載したものである。建物構造体６０は、妻側正面の一面に門型の木質ラーメンフレーム６１を組込み、妻側背面と木質ラーメンフレーム６１の左右の両側に木質壁パネル６２を立設して構成される。木質ラーメンフレーム６１と壁パネル６２は互いに接合されて一体化され、木質ラーメンフレーム６１と壁パネル６２は基礎２に固定される。
【００３９】
木質ラーメンフレーム６１は、２個の建物ユニット１０、１０の妻巾の合計巾と同一の広巾をなし、木質ラーメンフレーム２１と同様に、左右の縦材３０１、横材３０２、左右の接合金物３０３（不図示）からなる。
【００４０】
本実施形態によれば以下の作用がある。
工場生産された複数の木質系建物ユニット１０と、建築現場で組立てた建物構造体６０によってユニット建物１Ｌを構成するに際し、建物構造体６０に門型の木質ラーメンフレーム６１を組込んだ。建物ユニット１０の採用により建物の工場生産化率を高めながら、木質ラーメンフレーム６１により耐力壁に代わる耐力を確保し、該ラーメンフレーム６１内に壁のない大開口６１Ａを容易に形成できる。
【００４１】
（第１３実施形態）（図１６）
ユニット建物１Ｍは、図１５のユニット建物１Ｌにおける１階部分の建物構造体６０として、相交差する桁側正面と妻側正面のそれぞれに、門型の木質ラーメンフレーム２１と木質ラーメンフレーム６１を組込み、それら木質ラーメンフレーム２１、６１の側傍に壁パネル６２を有するものを用いたことにある。
【００４２】
尚、木質ラーメンフレーム２１と木質ラーメンフレーム６１の相交差する縦材１０１と縦材３０１、横材１０２と横材２０２は接合金物を介して互いに剛接合することができる。
【００４３】
ユニット建物１Ｍによれば、相交差する２つの木質ラーメンフレーム２１、６１のそれぞれに大開口２１Ａ、６１Ａを形成できる。
【００４４】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、ユニット建物１Ｌ、１Ｍにおいて、建物構造体６０だけでなく、建物ユニット１０にも門型の木質ラーメンフレームを組込んでも良い。
【００４５】
【発明の効果】
本発明によれば、建物の工場生産化率を高めながら、大開口を容易に形成することができる。
【図面の簡単な説明】
【図１】図１は第１実施形態のユニット建物を示す斜視図である。
【図２】図２は第１実施形態のユニット建物を詳細に示す斜視図である。
【図３】図３は木質ラーメンフレームの接合構造を示す分解斜視図である。
【図４】図４は木質ラーメンフレームと基礎の接合構造を示す分解斜視図である。
【図５】図５は第２実施形態のユニット建物を示す斜視図である。
【図６】図６は第３実施形態のユニット建物を示す斜視図である。
【図７】図７は第４実施形態のユニット建物を示す斜視図である。
【図８】図８は第５実施形態のユニット建物を示す斜視図である。
【図９】図９は第６実施形態のユニット建物を示す斜視図である。
【図１０】図１０は第７実施形態のユニット建物を示す斜視図である。
【図１１】図１１は第８実施形態のユニット建物を示す斜視図である。
【図１２】図１２は第９実施形態のユニット建物を示す斜視図である。
【図１３】図１３は第１０実施形態のユニット建物を示す斜視図である。
【図１４】図１４は第１１実施形態のユニット建物を示す斜視図である。
【図１５】図１５は第１２実施形態のユニット建物を示す斜視図である。
【図１６】図１６は第１３実施形態のユニット建物を示す斜視図である。
【符号の説明】
１Ａ〜１Ｍ　ユニット建物
１０、１０Ａ〜１０Ｌ　木質系建物ユニット
２１、３１、４１、５１、６１　木質ラーメンフレーム
１０１　縦材
１０２　横材
１０３　接合金物
１０４　埋込ボルト
【図１】
2004143779.tif 000003
【図２】
2004143779.tif 000004
【図３】
2004143779.tif 000005
【図４】
2004143779.tif 000006
【図５】
2004143779.tif 000007
【図６】
2004143779.tif 000008
【図７】
2004143779.tif 000009
【図８】
2004143779.tif 000010
【図９】
2004143779.tif 000011
【図１０】
2004143779.tif 000012
【図１１】
2004143779.tif 000013
【図１２】
2004143779.tif 000014
【図１３】
2004143779.tif 000015
【図１４】
2004143779.tif 000016
【図１５】
2004143779.tif 000017
【図１６】
2004143779.tif 000018